(57)【要約】【課題】本考案の目的は、揚げ物やてんぷら料理を調理する際に油が跳ねて手にかかることを防止した手カバーを提供することである。【解決手段】本考案に係る手カバーは、２つの互いに重合した同心の小径円板と大径円板とからなる手カバーであって、前記大径円板の少なくとも外周部付近には複数の放射状に伸びる襞が設けられ、且つ前記小径円板には２本の箸が挿通できる孔が穿たれていることを特徴とするものである。【選択図】図３
0003104662.tif 000002
【実用新案登録請求の範囲】
【請求項１】
２つの互いに重合した同心の小径円板と大径円板とからなる手カバーであって、前記大径円板の少なくとも外周部付近には複数の放射状に伸びる襞が設けられ、且つ前記小径円板には２本の箸が挿通できる孔が穿たれていることを特徴とする手カバー。
【請求項２】
前記大径円板は前記小径円板の外周部にほぼ沿って折り込み可能であることを特徴とする請求項１記載の手カバー。
【請求項３】
前記手カバーに使用される箸の外周面にはゴム製のリングが設けられ、且つ前記リングは前記箸の外周面を滑動可能であることを特徴とする請求項１又は２記載の手カバー。
【請求項４】
前記リングと手カバーとを索体で連結したことを特徴とする請求項３記載の手カバー。
【考案の詳細な説明】
【技術分野】
【０００１】
本考案は揚げ物やてんぷらなど油で揚げる料理を作る際に、襞を伸ばして拡開してほぼ逆截頭円錐形にし、その内部に手を入れて、使用する油が水分によって跳ねて料理人の手などにかかって火傷を負うことを防止した手カバーに関するものである。
【背景技術】
【０００２】
従来、揚げ物やてんぷらなどを油で揚げる際、食材に水分が多く含まれたり、食材に水分が付着していると使用する油を跳ね上げ料理人の手などにかかり火傷を負う事故が多々発生していた。
このような火傷を防ぐために料理人は防護用手袋などを着用していたが、揚げ物やてんぷら料理のたびに着用する必要があり、手間がかかり面倒であった。
【考案の開示】
【考案が解決しようとする課題】
【０００３】
本考案の目的は、揚げ物やてんぷら料理を調理する際に使用する油が跳ねて手にかかり、火傷を負うことを防止した手カバーを提供することである。
【課題を解決するための手段】
【０００４】
上記目的を達成するため本考案に係る手カバーは、２つの互いに重合した同心の小径円板と大径円板とからなる手カバーであって、前記大径円板の少なくとも外周部付近には複数の放射状に伸びる襞が設けられ、且つ前記小径円板には２本の箸が挿通できる孔が穿たれていることを特徴とするものである。
そして、本考案によれば、前記大径円板は前記小径円板の外周部にほぼ沿って折り込み可能であることを特徴とする。
また、本考案によれば、前記手カバーに使用される箸の外周面にはゴム製のリングが設けられ、且つ前記リングは前記箸の外周面を滑動可能であることを特徴とする。
さらに、本考案によれば、前記リングと手カバーとを索体で連結したことを特徴とする。
【考案の効果】
【０００５】
本考案によれば、手カバーを、大径円板とこの大径円板と同心で重合した小径円板で構成し、前記大径円板の外周部付近あるいは該大径円板と小径円板との間の大径円板全体亘って放射状に設けられた襞を伸ばして前記手カバーを拡開してその内部に手を入れて料理のための箸を掴む。このようにすると、例え食材に水分が含まれていて、あるいは水分が食材に付着していても油料理をする際に使用する油が跳ねて手にかかろうとした場合でもほぼ逆截頭円錐形に拡開した薄物、例えば紙、合成樹脂又はアルミニウム・フォイルのような全体として薄物で軽量の手カバーにより跳ねた油が手にかかることを防止して料理人の手を保護する。
【考案を実施するための最良の形態】
【０００６】
本考案を添付図面について詳述すれば、図１は使用前の本考案に係る手カバー、図２は使用前の他の本考案に係る手カバー、図３は使用後の本考案に係る手カバー、図４は図３の底面図、図５は使用後の本考案に係る手カバーの部分拡大図であって、１は紙、合成樹脂あるいはアルミニウム・フォイルのような全体として薄物で軽量の手カバーであって、拡開してこの手カバーがほぼ逆截頭円錐形となったとき底部を形成する小径円板１−１と、該小径円板１−１と同心で互いに重合したほぼドーナッツ状もしくは円形又は外周部分が山形となった大径円板１−２からなり、２は前記大径円板１−２の外周部付近または該大径円板１−２と小径円板１−１との間の大径円板１−２全体亘って設けられた複数の放射状に伸びる襞、３は前記小径円板１−１の外周部にほぼ沿って大径円板１−２に設けられた折り込み部分、４は食材を掴む２本の箸、５は前記小径円板１−１に穿孔され、かつ箸４が挿通できる寸法の長孔、６は前記箸４の外周面に設けられ、かつ箸４の外周面を滑動できるゴム製のリング、７は該リング６と手カバー１を連結する紐などの索体である。
【０００７】
本考案によれば、揚げ物やてんぷらを揚げるとき、大径円板１−２を折り込み部分３より折り込んで襞２を伸ばし図２に図示するようにほぼ有底円筒形にするか、あるいは大径円板１−２を拡開して襞２を伸ばして図３のようにほぼ逆截頭円錐形にする。
そして、このように拡開した手カバー１内部に手を差し込んで箸４を掴み、揚げ物やてんぷら料理を行う。この際、箸４により掴んだ食材に水分が含まれていたり、水分が食材に付着していて油が跳ねてもこの手カバー１により安全に保護されるので、料理人は高温の油により火傷を負うことがない。
【０００８】
なお、大径円板１−２は外周部分を図示のように山形に形成した方が襞２を形成するには容易であるが、この形状に限定されることなく大径円板１−２を全体としてほぼドーナツ状や円形になるように形成しても良く、大径円板１−２と小径円板１−１は互いの位置ズレ防止のため接着しておくことが好ましく、また、箸４の外周面に摺動自在に固着されたリング６と手カバー１との間を適当長の紐などの索体７により連結することにより２本の箸４の手カバー１からの離脱を防止すると共に、箸４の使用長さを所望の長さ（手で掴む）長さを所望の長さに調整できる。
さらに、２本の箸４の自由終端を他の紐などで繋いで箸４が不揃いになったり、使用している油内に落下してしまうのを防ぐこともできる。
【０００９】
また、図示実施例では小径円板１−１に長孔５を設けたが、箸４の直径よりやや大径であれば、２つの丸孔としても良く、かつ小径円板１−１は薄物とする必要はなく底面をメッシュにしたり、リブを設けて補強したり、厚物として構成することもできる。
【産業上の利用可能性】
【００１０】
本考案によれば、この手カバーを使用するに際し、大径円板の外周部あるいは該大径円板と小径円板との間の大径円板全体亘って放射状に設けられた複数の襞を伸ばして手カバーをほぼ逆截頭円錐形に拡開して内部に手を入れて箸を掴むことができ、例え食材に水分が含まれていて、あるいは水分が食材に付着していて使用する油が跳ねて手にかかろうとした場合であっても紙、合成樹脂又はアルミニウム・フォイルのような全体として薄物で軽量の手カバーを拡開してほぼ逆円錐形にすることにより跳ねた油が手カバー内部に入れた手にかかることを防止して料理人の手が火傷をすることを防ぐことができ、ゴム製のリングを箸の外周面を滑動させて箸４の使用長さを所望の長さ（手で掴む）長さを所望の長さに調整し、またリング６と手カバー１との間を適当長の紐などの索体７により連結することにより２本の箸４の手カバー１からの離脱を防止できる手カバーを提供可能にする。
【図面の簡単な説明】
【００１１】
【図１】使用前の本考案に係る手カバーである。
【図２】使用前の他の本考案に係る手カバーである。
【図３】使用後の本考案に係る手カバーである。
【図４】図３の底面図である。
【図５】使用後の本考案に係る手カバーの部分拡大図である。
【符号の説明】
【００１２】
１  手カバー
２  前記大径円板の外周部付近または該大径円板と小径円板との間の大径円板全体亘って放射状に設けられた襞
３  前記小径円板の外周部にほぼ沿って設けられた折り込み部分
４  食材を掴む２本の箸
５  箸が挿通する長孔
６  ゴム製のリング
７  紐などの索体
【図１】
0003104662.tif 000003
【図２】
0003104662.tif 000004
【図３】
0003104662.tif 000005
【図４】
0003104662.tif 000006
【図５】
0003104662.tif 000007